(57)【要約】  容器（２１）のための破壊開放弁（１）は、アクティベータ（３）を回転させることによってねじり取られることができる破壊除去エレメント（４）を有する。弁（１）は、最初の開放まで容器（２１）を密閉するために及び容器をいたずらされたかどうか判別できるようにするためにも使用されることができる。アクティベータ（３）は弁ヘッド（２）に回転可能に固定されている。アクティベータ（３）は、少なくとも１つの開口（１０）と破壊除去エレメント（１４）に係合するソケット（５）とを備えた挿入されたディスク（１６）を有する。アクティベータ（３）はさらに、アクティベータ（３）内の内容物を、開口（１８）を通じて進入する汚染物から保護するメンブレン（１７）を有する。弁（１）は、その製造において費用効率がよく、使用するのが容易であり、無菌内容物を２回以上の用量で排出するのに適しているという利点を有する。
2009505909.tif 000002
【特許請求の範囲】
【請求項１】
容器（２１）のための破壊開放弁であって、弁ヘッド（２）と、破壊除去エレメント（４）と、アクティベータ（３）とが設けられており、該アクティベータ（３）の回転が破壊除去エレメント（４）を破壊除去しこれにより弁ヘッド（２）に開口（９）を形成するようにアクティベータ（３）が破壊除去エレメント（４）に係合しており、アクティベータ（３）が、弁ヘッドに関して回転させられることができるように該弁ヘッド（２）に固定されており、アクティベータ（３）が、弁を通る内容物がアクティベータ（３）を通過するように配置及び設計されている形式のものにおいて、アクティベータ（３）が、壁エレメント（１５）とソケットエレメント（１６）とを含み、該ソケットエレメント（１６）が、壁エレメント（１５）に挿入されておりかつ、破壊除去エレメント（４）と係合したソケット（５）を含むことを特徴とする、容器のための破壊開放弁。
【請求項２】
ソケットエレメント（１６）が実質的にディスク状である、請求項１記載の破壊開放弁。
【請求項３】
ソケットエレメント（１６）が壁エレメント（１５）よりも硬い、請求項１又は２記載の破壊開放弁。
【請求項４】
ソケットエレメント（１６）が、ソケット（５）の直径の少なくとも２倍の直径を有する、請求項１から３までのいずれか１項記載の破壊開放弁。
【請求項５】
弁のアクティベーションのためのモーメントが伝達されることができるようにソケットエレメント（１６）がそのエッジにおいて壁エレメント（１５）の内側に係合しており、特にソケットエレメント（１６）のエッジが刻み目を含む、請求項１から４までのいずれか１項記載の破壊開放弁。
【請求項６】
弁ヘッド（２）と、破壊除去エレメント（４）と、アクティベータ（３）とが設けられており、アクティベータ（３）の回転が破壊除去エレメント（４）を破壊除去しこれにより弁ヘッド（２）に開口（９）を形成するようにアクティベータ（３）が破壊除去エレメント（４）に係合しており、アクティベータ（３）が、弁ヘッドに関して回転させられることができるように弁ヘッド（２）に固定されており、弁を通る内容物がアクティベータ（３）を通過するようにアクティベータ（３）が配置及び設計されており、アクティベータ（３）が、破壊除去エレメント（４）に係合するソケットを含む形式のものにおいて、アクティベータ（３）が、内容物をソケット（３）に通過させることなくアクティベータ（３）に通過させる少なくとも１つの通路（１０）を含むことを特徴とする、特に請求項１から５までのいずれか１項記載の、容器（２１）のための破壊開放弁。
【請求項７】
通路が、ソケット（５）と同じエレメントに配置された開口（１０）によって形成されている、請求項６記載の破壊開放弁。
【請求項８】
弁ヘッド（２）と、破壊除去エレメント（４）と、アクティベータ（３）とが設けられており、アクティベータ（３）の回転が破壊除去エレメント（４）を破壊除去しこれにより弁ヘッド（２）に開口（９）を形成するようにアクティベータ（３）が破壊除去エレメント（４）に係合しており、アクティベータ（３）が、弁ヘッドに関して回転させられることができるように弁ヘッド（２）に固定されており、弁を通る内容物がアクティベータ（３）を通過するようにアクティベータ（３）が配置及び設計されている形式のものにおいて、アクティベータ（３）がメンブレン（１７）を含み、該メンブレンが、弁ヘッド（２）における開口（９）を通過する内容物が、開口（１８）を通ってアクティベータ（３）から出る前にメンブレン（１７）を通過しなければならないように配置されていることを特徴とする、特に請求項１から７までのいずれか１項記載の、容器（２１）のための破壊開放弁。
【請求項９】
アクティベータ（３）によってメンブレン（１７）と開口（１８）との間に形成されていてかつ、排出時に内容物が通過しなければならない中空空間（１４）が、０．１ｍｌ未満、特に０．０５ｍｌ未満、特に０．０２ｍｌ未満の容積を有する、請求項８記載の破壊開放弁。
【請求項１０】
アクティベータ（３）が第１の構成部材（４８）と第２の構成部材（４９）とを含み、第１の構成部材（４８）が弁ヘッド（２）に固定されており、第２の構成部材（４９）が第１の構成部材（４８）に固定されており、メンブレン（１７）が前記２つの構成部材（４８，４９）の間に保持されている、請求項８又は９記載の破壊開放弁。
【請求項１１】
第１の構成部材（４８）が半径方向バー（５４）によってメンブレン（１７）に接触しておりかつ／又は第２の構成部材（４９）が、切欠き、特に半径方向及び環状の切欠きを含む表面（５５）によってメンブレン（１７）に接触している、請求項１０記載の破壊開放弁。
【請求項１２】
メンブレン（１７）が半透性及び／又は疎水性及び／又は抗菌性である、請求項８から１１までのいずれか１項記載の破壊開放弁。
【請求項１３】
破壊除去エレメント（４）と、弁ヘッド（２）のボディとの間に実質的に円形の所定の破壊線（６）が設けられており、該所定の破壊線（６）が弁のアクティベーションのために破壊される、請求項１から１２までのいずれか１項記載の破壊開放弁。
【請求項１４】
破壊除去エレメント（４）が、特に軸方向の刻み目を備えた、実質的に円筒状のピンである、請求項１から１３までのいずれか１項記載の破壊開放弁。
【請求項１５】
破壊除去エレメント（４）が、弁ヘッド（２）に関して少なくとも部分的に沈められている、請求項１から１４までのいずれか１項記載の破壊開放弁。
【請求項１６】
弁ヘッド（２）が、アクティベータ（３）の内面と回転可能に係合する、実質的に円筒状又は円錐形の外面を含む、請求項１から１５までのいずれか１項記載の破壊開放弁。
【請求項１７】
アクティベータ（３）がスナップオン手段によって弁ヘッド（２）に保持されており、前記スナップオン手段が特に、スナッピングオンが、スナッピングオフよりも小さな力、特に著しく小さな力を必要とするように設計されている、請求項１から１６までのいずれか１項記載の破壊開放弁。
【請求項１８】
アクティベータ（３）がシーリングバンド（５０）を含み、アクティベータ（３）の回転が、特に所定の破壊点（５３）においてシーリングバンド（５０）を少なくとも部分的に破壊することによって又はその後に初めて可能であるように、シーリングバンド（５０）が設計されている、請求項１から１７までのいずれか１項記載の破壊開放弁。
【請求項１９】
アクティベータ（３）が開口（１８）を含み、破壊開放弁（１）が容器（２１）のための排出ヘッドとして装着されているか又は該排出ヘッドとして使用されることができるように、弁ヘッド（２）が容器（２１）の部分であるか又は容器（２１）に固定されるように設計されている、請求項１から１８までのいずれか１項記載の破壊開放弁。
【請求項２０】
アクティベータ（３）が、カニューレ（３１，６０）、特に横方向開口（３４）を備えた直腸軟膏のためのカニューレ（３１）又は開口（１８）に向かって増大する内径を備えた液滴排出のためのカニューレ（６０）、を含む、請求項１９記載の破壊開放弁。
【請求項２１】
開口（１８）を閉鎖するためのキャップ（４７）、特に螺合キャップ又はスナップオンキャップ、を含む、請求項１９又は２０記載の破壊開放弁。
【請求項２２】
キャップ（４７）が、キャップ（４７）を初めて除去する場合に少なくとも部分的に破壊除去されなければならないシーリングバンド（４３）を含む、請求項２１記載の破壊開放弁。
【請求項２３】
請求項１から２２までのいずれか１項記載の破壊開放弁（１）を含むことを特徴とする、容器。
【請求項２４】
チューブ又はフレキシブルボトルであることを特徴とする、請求項２３記載の容器。
【発明の詳細な説明】
【技術分野】
【０００１】
本発明は、独立請求項の前提部による容器のための破壊開放弁に関する。
【０００２】
背景技術
この種の弁は、内容物が容器から初めて取り出される前に容器を確実に閉鎖するために、容器のために使用されることができる。このような容器は特に、薬品又は化粧品等の内容物のために使用されることができる。一回目の使用まで容器を確実に閉鎖することは、例えば目薬のように、無菌でなければならない液体の場合に特に重要である。本明細書において、「内容物」という用語は、弁を通過することができるあらゆる物のための一般的な用語として使用されており、全ての種類の物質、特に液体、ペースト、軟膏及びガスを含むと理解されるべきである。
【０００３】
内容物を取り出すための開口を形成するために破壊除去されなければならない破壊除去エレメント（例えばねじり取りピン）を備えた容器を提供することが知られている。ほとんどの場合、このような容器のキャップにはソケットが設けられており、このソケットは、破壊除去エレメントをねじり取るためのツールとして使用されることができる。この種の容器は例えば米国特許第４６８８７０３号明細書に開示されている。しかしながら、このソリューションは、閉鎖体を使用することが困難であるおそれがあり、開口が開放時に汚染されるおそれがあり、開放時に廃棄粒子、すなわち破壊除去エレメントが落下するという欠点を有する。
【０００４】
さらに、破壊除去エレメントを備えた容器を提供することが知られているが、上述のソリューションとは対照的に、前記エレメントを破壊除去するためのツールを容器に永久に固定することが知られている。このことは、ツールが既に取り付けられており、このことは、容器を使いやすくし、開放作業中の汚染を低減するという利点を有する。本明細書において、このような永久に固定されたツールは、「アクティベータ」という用語によって言い換えられる。このような弁を初めて開放する作業は、「アクティベーション」と呼ばれる。
【０００５】
この種の、すなわちこのようなアクティベータを備えた容器は米国特許第５４２５９２０号明細書に記載されている。瓶には、付属部を有する破壊可能なダイヤフラムが設けられている。中空のエレメントは、付属部を回転させかつこれによりダイヤフラムを破壊するためのツールとして機能する。排出時、内容物は中空のエレメントを通過し、中空のエレメントはアクティベーション、すなわち最初の開放後は、容器に固定されたままである。
【０００６】
しかしながら、米国特許第５４２５９２０号明細書のソリューションは、その製造が不必要にコストのかかるものであり、破壊除去エレメントが破壊プロセス中に完全に案内されないという欠点を有する。後者は、正確でない及び／又は内容物を汚染する削り屑を生じる破壊を生じる。さらに、弁のアクティベーション時に人員によって加えられる力は、完全に規定されることができず、弁ごとに任意に変化する場合がある。
【０００７】
米国特許第５４２５９２０号明細書のソリューションはさらに、２回以上の用量で無菌内容物を排出するのに適していないという欠点を有する。再閉鎖するための機構は、このような用途に適していない。破壊除去エレメント（付属部）は、アクティベーション時に形成された開口内に押し戻される。しかしながら、既に前記開口を通過した内容物はアクティベータ（中空エレメント）内にとどまり、そこで、内容物は、開口を通って進入する空気及びその他の汚染物に曝される。
【０００８】
発明の開示
上述の背景技術を考慮して、第１の発明の概略的な目的は、費用効率よく製造される、より正確に破壊除去エレメントを案内する、冒頭に言及された種類の、容器のための弁を提供することである。
【０００９】
ここで、記述が進むにつれてより明らかになるであろう第１の発明のこれらの目的及びさらに別の目的を達成するために、破壊開放弁が、請求項１の特徴によって、すなわち、壁エレメント及びソケットエレメントを含むアクティベータを備えた弁を提供することによって明示され、この場合、ソケットエレメントは壁エレメントに挿入されかつ、破壊除去エレメントと係合するソケットを含む。
【００１０】
このソリューションは、今や別個のエレメントによって形成されたソケットが、その機能のために特に最適化された材料及び方法によって製造されることができるのに対し、アクティベータの壁エレメントは異なる材料及び方法によって製造されることができるという利点を有する。したがって、弁はより費用効率よく製造されることができる。さらに、ソケットをより安定かつ正確にすることが可能である。このことは、アクティベーション動作を改良し、弁を使いやすくする。
【００１１】
本発明の別の態様において、ソケットエレメントは実質的にディスク状である。この形状は、壁エレメントへソケットエレメントを挿入することが、ソケットを回転方向で整合させる必要なく行われることができるという利点を有する。
【００１２】
本発明のさらに別の態様において、ソケットエレメントは、ソケットの直径の少なくとも２倍である直径を有している。より大きな直径は、てこ作用を提供するという利点を有し、すなわち壁エレメントとソケットエレメントとの間でより小さな力が伝達されなければならない。
【００１３】
本発明のさらに別の態様において、ソケットエレメントは壁エレメントよりも硬く形成されている。このことは、ソケットエレメントが壁エレメント、及び破壊除去エレメントとより確実に係合するという利点を有する。
【００１４】
本発明のさらに別の態様において、アクティベータは、内容物を、ソケットを通過することなくアクティベータを通過させる通路を有する。このことは、アクティベーションの後に、ソケットと破壊除去エレメントとの間に間隙が存在しないようにソケットが破壊除去エレメントと合致するとしても、アクティベータを通過する内容物を妨害することなく、破壊除去エレメントがソケット内にとどまることができる、という利点を有する。
【００１５】
上述の背景技術の考慮において、第２の発明の概略的な目的は、無菌に保たれなければならずかつ汚染に対して敏感な内容物の複数回の用量を、一時的に分配された形式で排出するのに適した、冒頭に言及された種類の容器のための弁を提供することである。
【００１６】
今や、記述が進むにつれてより明らかになるであろう第２の発明のこれらの目的及びさらに別の目的を達成するために、破壊開放弁は、請求項８の特徴によって、すなわち、メンブレンを備えたアクティベータを提供することによって明示され、このメンブレンは、アクティベーション時に形成された開口を通過する内容物が、開口を通ってアクティベータから出ることができる前にメンブレンをまず通過しなければならないように配置されている。
【００１７】
このソリューションは、弁がアクティベーションされた後に、開口を通って進入する汚染物、例えば空気に直接に曝される内容物の量が減じられるという利点を有する。特に、破壊除去エレメントの範囲における内容物は、メンブレンの背後にある。このことは特に重要である。なぜならば、この範囲には、排出の後に内容物がとどまりかつ場合によっては劣化するおそれがある、多数の面及びキャビティが存在するからである。したがって、メンブレンを備えた弁は、無菌かつ敏感な内容物の２回分以上の容量を排出するために使用されるのに適している。
【００１８】
本発明の別の態様において、メンブレンと開口との間においてアクティベータによって形成された中空空間は、０．１ｍｌ未満の容積を有する。このことは、開口を通って進入する汚染物に曝されかつ場合によっては劣化する場合がある内容物が、ほとんどの用途において有害ではなさそうな量に制限される。
【００１９】
図面の簡単な説明
発明の以下の詳細な説明を考慮した場合に発明はよりよく理解され、上に示されたもの以外の目的が明らかになるであろう。このような記載は、添付された図面を参照している。
【００２０】
図１は、第１及び第２の発明による弁の典型的な実施形態の概略図である。
図２は、弁のアクティベーションの後の、図１の弁の概略図である。
図３は、第１の発明による弁の好適な実施形態の断面図である。
図４は、図３の弁の分解された三次元の図である。
図５は、第２の発明による弁の好適な実施形態の断面図である。
図６は、図５の弁の分解された三次元の図である。
図７は、図５の弁の別の分解された三次元の図である。
図８は、図５の弁の三次元の図である。
【００２１】
発明を実施するための態様
図１は、破壊除去エレメント４をねじり取ることによってアクティベーション、すなわち開放される前の、第１及び第２の発明による弁１の典型的な実施形態の概略図である。弁１は弁ヘッド２及びアクティベータ３を有する。弁ヘッド２は実質的に円筒状である。弁ヘッド２は、所定の破壊線６によって弁ヘッドに結合された破壊除去エレメント４を有する。弁ヘッド２は、容器２１、例えばフレキシブルなボトル若しくはチューブ、の一部であることができる。しかしながら、弁ヘッドは、別個に製造された容器に螺合又はその他の形式で固定された別個のエレメントであることもできる。アクティベータ３は、壁エレメント１５と、壁エレメント１５に挿入されたソケットエレメント１６と、さらにメンブレン１７とを有する。用語"壁エレメント"の代わりに、"ハウジングエレメント"又は"シャフトエレメント"という用語が使用されることもできる。アクティベータ３は、アクティベータ３が弁ヘッド２に対して回転されることができるように、弁ヘッド２に被せ嵌められた円筒状部分を有する。アクティベータ３は、スナップオン手段７，８によって弁ヘッド２に保持されている。アクティベータ３は弁ヘッド２に回転可能に固定されている、すなわちアクティベータは、回転されることができるが、通常使用時には、弁ヘッド２から引き離されない。"通常使用"のための例は、内容物を排出するために手によって弁をアクティベーションすることである。"非通常使用"のための例は、手によって又は工具を使用することによって過剰な力を加えることによって再利用目的のために弁を分解することである。アクティベータ３は、弁１の製造中に弁ヘッド２に取り付けられ、次いで、製品の全ライフサイクルの間そこにとどまる。好適には、スナップオン手段は、取付けが取外しよりも容易であるように設計されている。アクティベータ３を取り外すために必要な力は、好適には、弁をアクティベーションするためにアクティベータ３の円周に接線方向に加えられなければならない力よりも著しく大きい。遠位端部において、アクティベータ３は開口１８を形成しており、この開口を通って内容物が排出される。好適には、アクティベータ３は、弁１のアクティベーションのためにどこを手で回転させるかがユーザによって容易に見分けられることができるように、容器２１とは異なる色、特に認識しやすい色、例えば黄色で設計されている。
【００２２】
ソケットエレメント１６は壁エレメント１５とは別個のエレメントである。ソケットエレメントは実質的にディスク状である。しかしながら、ソケットエレメントは、その他の形状、例えば三角形、正方形又はその他の多角形であることもできる。ソケットエレメント１６は、アクティベータ３が弁ヘッド２に取り付けられる前に壁エレメントに挿入される。このことは、ソケットエレメント１６が、アクティベータ３の壁エレメント１５とは異なる材料から、異なる方法で製造されることができるという利点を有する。ソケットエレメント１６は好適には、アクティベータ３の壁エレメント１５の材料よりも硬い材料から形成されている。ソケットエレメント１６の中央には、ソケット５が設けられており、このソケットは、回転力が伝達されることができるように、破壊除去エレメント４と係合している。ソケットエレメント１６の直径は、好適には、少なくともソケット５の直径の２倍である。ソケットエレメント１６の外径と、壁エレメント１５の内径とは、単に一方のエレメントを他方に押し込むことによってソケットエレメント１６が壁エレメント１５の内部に固定されることができるように互いに適応されている。アクティベーション内容物が容器から出ることができる前の示された状態において、特にアクティベーション内容物は中空空間１１から中空空間１２，１３，１４へ通過することはできない。反対に、空気は、外部から中空空間１４，１３，１２を通って中空空間１１内へ進入することはできない。ソケットエレメント１６には、好適には、排出時に内容物がソケット５を通過する必要がないように、通路を形成する、ソケット５と、ソケットエレメント１６のエッジとの間の少なくとも１つの開口１０が設けられている。
【００２３】
図２は、アクティベーションされた後の、図１の弁の断面図である。破壊除去エレメント４は、アクティベータ３を弁ヘッド２に対して回転させることによってねじり取られている。そうすることによって開口９が形成されている。そこで内容物は中空空間１１から開口９を通って中空空間１２へ進入することができ、中空空間１２から開口１０を通って中空空間１３へ進入することができ、次いでメンブレン１７を通って中空空間１４へ進入することができ、最後に開口１８を通って外部へ出ることができる。メンブレン１７を保持するエレメントは示されていない。破壊除去エレメント４はソケット５に残っている。しかしながら、液体が排出されると、破壊除去エレメントは、僅かに、軸方向に、開口９から離れる方向に押し付けられる。開口１０により、内容物はソケット５を通過する必要がなく、したがって、破壊除去エレメント４は、アクティベーションの後及び排出の間、ソケットに残っていることができる。このことは、ルーズな粒子が存在しないという利点を有し、これらの粒子のカタカタという音は故障と解釈される場合があり、排出中に妨害するおそれがある。
【００２４】
メンブレン１７は、排出される内容物が、開口１８を通って弁から出る実質的に直前にメンブレン１７を通過しなければならないように配置されている。好適には、メンブレン１７は、中空空間１４が最小限の容積を有するように、できるだけ開口１８の近くに配置されている。中空空間１４の容積は好適には０．１ｍｌ未満、特に０．０５ｍｌ未満又は０．０２ｍｌ未満である。一度に全ての内容物を排出する場合、汚染は問題ではない。なぜならば、弁がアクティベーションされるまで、内容物は中空空間１１内に密閉されているからである。しかしながら、弁がアクティベーションされ、内容物の一部のみが排出される場合、残りの内容物が、開口１８を通じて進入する汚染物に曝される。メンブレン１７は内容物をこのような汚染物から保護する。既にメンブレン１７を通過した、中空空間１４内の  極めて少量の内容物のみが曝される。したがって、弁は、適時に分配された形式で、汚染に敏感な内容物の２回以上の分量を排出するのに適している。メンブレン１７の直径は、内容物が大きな圧力を加えることなく通過することができるように、弁の与えられた外側最大寸法の範囲でできるだけ大きく選択されている。したがって、直径は、好適には、壁エレメント１５の内径と実質的に同じ大きさである。
【００２５】
図３は、第１の発明による弁１の好適な実施形態を示している。弁１は、アクティベーションの前の状態において示されている。弁１は、容器２１のための排出ヘッドとして使用されている。容器２１は好適にはチューブである。アクティベータ３はカニューレ３１を有する。破壊開放弁及びカニューレを備えたこのような容器２１は、例えば直腸軟膏のために使用されることができる。弁１をアクティベーションするために、アクティベータ３が容器２１に対して回転させられる。アクティベータ３は、中央におけるソケット５と、少なくとも１つの開口１０、好適には３つの開口１０とを備えたソケットエレメント１６を有しており、前記開口を、破壊除去エレメント４を保持するソケット５をバイパスするために内容物が通過することができる。図１に関連して説明されたソケットエレメント１６の特性、機能及び変更例は、ここでも対応して適用されることができる。示された実施形態において、ソケットエレメント１６の直径はソケット５の直径の約３倍である。容器２１の直径は好適には１０〜２０ｍｍ、特に１６ｍｍである。アクティベータ３の直径は好適には僅かにより小さい、好適には８〜１５ｍｍ、特に１０．７ｍｍである。
【００２６】
ディスペンサを備えたチューブが製造される場合、第１のステップにおいて、３つの部分、すなわち弁ヘッド２を備えたチューブと、ソケットエレメント１６と、カニューレ３１を備えた壁エレメント１５とが別個に製造される。第２のステップにおいて、ソケットエレメント１６は壁エレメント１５に押し込まれる。第３のステップにおいて、ソケットエレメント１６を備えた壁エレメント１５、すなわちアクティベータ３が弁ヘッド２にスナップ係合させられる。ソケットエレメント１６は、刻み目１９を有しており、アクティベータ３は対応する刻み目２０を有している。弁ヘッド２はスナップオン手段７を有しており、アクティベータ３は、対応するスナップオン手段８、例えば、縁部と係合する突出部又は外縁部と係合する縁部、を有している。弁１を備えた容器２１は、さらに、カニューレ３１における開口を被覆するようにカニューレ３１に被せ嵌められるように設計されたキャップ（図示せず）を含むことができる。
【００２７】
図４は、図３の弁を、分解された三次元図で示している。容器２１は、スナップオン手段７として働く縁部を備えた弁ヘッド２を有する。弁ヘッド２には、破壊除去エレメント４が設けられている。破壊除去エレメント４はねじり取りピンである。破壊除去エレメントは、刻み目を備えた実質的に円筒状である。ソケットエレメント１６のソケット５には、対応する刻み目が設けられている。ソケットエレメント１６は、均等に間隔を置いてソケット５の周囲に分配された３つの開口１０を有する。開口１０の数は、好適には１〜１０の範囲で変更されることができる。ソケットエレメント１６の周面も、刻み目１９、すなわち軸方向のリブを有する。壁エレメント１５には、これらのリブが係合する切欠が設けられていることができる。カニューレ３１は横方向開口３４を有する。既に述べたように、弁１を備えた容器２１の組立て中に、まずソケットエレメント１６がカニューレ３１に挿入される。その後、アクティベータ３が弁ヘッド２にスナップ係合させられる。
【００２８】
図５は、第２の発明による弁１の好適な実施形態を示している。弁１は、メンブレン１７と、カニューレ６０と、キャップ４７とを有している。弁１は、容器２１、特にチューブ又はフレキシブルボトルのための排出ヘッドとして使用されている。弁は、眼の用途、すなわち目薬を貯蔵しかつ排出するのに特に適している。アクティベータ３を回転させることによって弁１をアクティベーションした後、液体は中空空間１１から、弁ヘッド２に新たに形成された開口を通って中空空間１２へ通過することができ、開口１０を通って中空空間１３内へ通過することができ、メンブレン１７を通って中空空間１４内へ通過することができ、最後に開口１８を通過することができる。中空空間１４は、メンブレンホルダ５５の切欠きと、カニューレ６０の内側の排出通路とを含む。中空空間１４の容積は好適にはできるだけ小さい、特に０．１ｍｌ未満、０．０５ｍｌ未満、又は０．０２ｍｌ未満である。したがって、中空空間１４における不要なキャビティが回避されている。これにより、空気接触により劣化するおそれのある液体の量が最小限にされる。容器２１の直径は、好適には１５〜２５ｍｍ、特に１９ｍｍ又は２２ｍｍである。アクティベータ３の直径は好適には僅かにより小さい、好適には１０〜２０ｍｍ、特に１４ｍｍである。メンブレン１７の直径は好適にはアクティベータ３の直径よりも３〜５ｍｍ、特に４ｍｍだけ小さい。カニューレ６０は好適には、液滴としての排出のために設計されている。カニューレの内径は遠位端部に向かって、特にメンブレンの近傍における０．６ｍｍから、開口における０．９ｍｍへ増大しており、このことは開口１８に向かう液体の速度を減じる。
【００２９】
メンブレン１７は好適には半透性及び／又は疎水性である。特に、メンブレンは、抗菌性であるように銀イオンを含む。メンブレンは、例えばGoreTex(R)材料であることができる。図２に関して説明されたメンブレン１７の特性、機能及び変更は、ここでは同様に適用されることができる。メンブレンを備えた排出ヘッドは、特に"空気なしシステム"、すなわち内容物を除去することにより生じた空間が空気で満たされないチューブのために使用されることができる。その代わりに、空気は実質的にチューブに進入するのを妨げられ、排出された容積は容器２１の変形によって補償される。
【００３０】
アクティベータ３は第１の部分４８と第２の部分４９とを有する。メンブレン１７は、特にメンブレンホルダ５４及び５５によってこれらの２つの部分４８，４９の間に保持されている。これらのホルダ５４，５５は好適には半径方向及び／又は環状の切欠き及び／又はバーを有しており、これにより、液体は、実質的にメンブレンの全ての部分を使用してメンブレン１７を均一に分配されながら通過することができる。示された実施形態において、ホルダ５５は、５つの環状の切欠き及び６つの半径方向の切欠きを有する。メンブレンホルダ５４は６つの半径方向のバーを有する。アクティベータ３は、スナップオン手段７，８によって弁ヘッド２に保持されている。
【００３１】
アクティベータ３はさらにシーリングバンド５０を有する。シーリングバンド５０は、容器に隣接したアクティベータ３の端部に位置する。シーリングバンドは、所定の破壊点として機能するバー５３によってアクティベータボディに結合されている。弁ヘッド２は歯５１を有しており、シーリングバンド５０は歯５２を有する。歯５１，５２は、軸方向でのアクティベータ３の取付けを妨害しないが、取り付けられたアクティベータ３の回転を妨害するように配置及び設計されており、これにより、アクティベータ３は、少なくとも所定の破壊点の一部が破壊された後に初めて回転させられることができる。このことはさらに、クロージャのいたずら判別能力を改良する。すでに、破壊除去エレメントによるいたずら判別能力が存在している。破壊除去エレメントは弁に一体形成されているので、エレメントが破壊除去されても、それを視覚的に確認することが不可能である。しかしながら、それは、排出しようとすることによって、またアクティベータを回転させることによっても確認されることができる。一旦エレメントが破壊除去されると、抵抗がより小さくなる。シーリングバンド５０は、弁がいたずらされたかどうか、また場合によってはアクティベーションされたかどうかを視覚的に確認することを可能にする。アクティベータ３はさらに環帯５７を有する。環帯５７は、弁ヘッド２と力接触している。環帯は、ガスケットとして機能し、中空空間１２が、開口１０と、場合によっては９とを除き、密閉されることを保証する。
【００３２】
破壊除去エレメント４及びソケット５は好適には、互いに対応する刻み目を有する。破壊除去エレメント４は、弁ヘッド２に関して沈められており、すなわち、側方から弁を見た場合、破壊除去エレメントと弁ヘッドとの間には重なり合いが存在する。破壊除去エレメントを沈めることは、弁がより短く設計されることができるという利点を有し、このことは、弁をよりコンパクトにし、材料を節約し、弁を通る通路の容積を減じる。図示されたように、ソケット５は、実質的に破壊除去エレメント４の全長をカバーしながら軸方向に延びるように設計されることができる。したがって、破壊除去エレメント４が沈められている場合、ソケット５の一部は弁ヘッド２内へ延びている。
【００３３】
キャップ４７は好適には螺合キャップである。カニューレ６０はねじ山４１を有し、キャップ４７は対応するねじ山４２を有する。キャップ４７はさらに、ラチェット歯４６を備えたシーリングバンド４３を有する。アクティベータ３は、対応するラチェット歯４５を有する。歯４５，４６は、キャップ４７がシーリングバンド４３と一緒にアクティベータ３に螺合されることができるが、シーリングバンドを所定の破壊点４４において少なくとも部分的にキャップボディから破壊した後に又はそうすることによって初めて、ねじ外されることができるように配置及び設計されている。
【００３４】
図６は、図５の実施形態を、分解された三次元図で示している。容器２１と、アクティベータ部分４８と、メンブレン１７と、アクティベータ部分４９と、キャップ４７とは、弁を備えた容器が組み立てられる前なので、別個のエレメントとして示されている。
【００３５】
図７は、図５の実施形態を、別の分解された三次元図で示している。この図は、アクティベータ３が組み立てられているのに対し、容器２１と、アクティベータ３と、キャップ４７とが依然として別個のエレメントとして示されているという点で、図６のものとは異なる。
【００３６】
図８は、図５の実施形態を三次元図で示している。この図は、弁を備えた容器の全てのエレメントが組み立てられているという点において図６及び図７のものとは異なる。
【００３７】
図面を参照して、実質的に３つの異なる実施形態が記載されている。しかしながら、これらの実施形態のいずれか１つに関連して記載された特徴及び特性は、概して、その他の実施形態に適用又は転用されることもできる。
【００３８】
図示された実施形態において、弁のアクティベーションのためにアクティベータが平面において回転される、すなわち軸方向の移動なしに回転されるように、アクティベータが弁ヘッドに固定されている。しかしながら、アクティベータが螺合させられる、すなわち軸方向での同時移動を伴って回転されるように弁が設計されていることもできる。アクティベータが平面において回転させられるソリューションは、構成することがより容易であるという利点を有する。なぜならば、縁部はねじ山よりも単純だからである。さらに、弁の形状、特に内側及び外側の寸法は、シーリングバンドの除去を除き、アクティベーションによって変更されない。最後に、アクティベーションが既に完了しているにもかかわらずユーザが回し続けるとアクティベータが落下するという問題も存在しない。アクティベータが螺合されるソリューションは、シーリングバンドが存在しないとしてもアクティベーションが見られることができるという利点を有する。しかしながら、これは、容器がいたずら防止されていることを意味しない。なぜならば、設計に応じて、アクティベータは元の位置へ再び螺合されることができるからである。
【００３９】
図示された実施形態において、破壊除去エレメントは、円形の所定の破壊線によって弁ヘッドに結合された、実質的に円筒状のねじり取りピンである。しかしながら、破壊除去エレメントは、その他の形状、例えばバー形又は立方形であることもできる。
【００４０】
図示された実施形態において、弁は、容器のための排出ヘッドとして使用されている。しかしながら、弁は、容器の２つの室を結合するために使用されることもできる。最初は、これらの２つの室は別個である。弁のアクティベーションは、２つの室の間に通路を形成する。この種の容器は、特に、使用直前まで混合されるべきではない２つの成分から最初は成る製品を保持するために使用されることができる。この種の製品は、例えば髪の染色ローション又は石膏である。
【００４１】
この文献における"破壊除去"又は"破壊開放"等における"破壊"という用語は、広い、制限しない形式で解釈されるべきである。特に、"裂く"又は"引き裂く"等の、開口を形成するためにエレメントを切断するその他の形式は、"破壊"の特別な形式であると理解されるべきである。
【００４２】
発明の現時点で好適な実施形態が示されかつ説明されているが、発明はこれに限定されず、請求項の範囲でその他の様々な形式で具体化されかつ実施されることができることが明確に理解されるべきである。
【図面の簡単な説明】
【００４３】
【図１】第１及び第２の発明による弁の典型的な実施形態の概略図である。
【図２】弁のアクティベーションの後の、図１の弁の概略図である。
【図３】第１の発明による弁の好適な実施形態の断面図である。
【図４】図３の弁の分解された三次元の図である。
【図５】第２の発明による弁の好適な実施形態の断面図である。
【図６】図５の弁の分解された三次元の図である。
【図７】図５の弁の別の分解された三次元の図である。
【図８】図５の弁の三次元の図である。
【符号の説明】
【００４４】
１  弁、  ２  弁ヘッド、  ３  アクティベータ、  ４  破壊除去エレメント、  ５  ソケット、  ６  破壊線、  ７，８  スナップオン手段、  １０  開口、  １１，１２，１３，１４  中空空間、  １５  壁エレメント、  １６  ソケットエレメント、  １７  メンブレン、  １８  開口、  ２０  刻み目、  ２１  容器、  ３１  カニューレ、  ４１，４２  ねじ山、  ４３  シーリングバンド、  ４６  ラチェット歯、  ４７  キャップ、  ４８  第１の部分、  ４９  第２の部分、  ５０  シーリングバンド、  ５１，５２  歯、  ５３  バー、  ５４，５５  ホルダ、  ５７  環帯、  ６０  カニューレ
【図１】
2009505909.tif 000003
【図２】
2009505909.tif 000004
【図３】
2009505909.tif 000005
【図４】
2009505909.tif 000006
【図５】
2009505909.tif 000007
【図６】
2009505909.tif 000008
【図７】
2009505909.tif 000009
【図８】
2009505909.tif 000010
【国際調査報告】
2009505909.tif 000011
2009505909.tif 000012